(57)【要約】【課題】視認性を維持したまま、より簡単に焼き付き軽減する。【解決手段】縁取り付加部４１は、アイコンに縁取りを付加し、重畳制御部４２は、縁取りされたアイコンを画像に重畳させ、重畳比率変更部４３は、アイコンと画像との重畳の比率を変更し、表示制御部４４は、縁取りされたアイコンが重畳された画像のディスプレイへの表示を制御する。本発明は、自発光型のディスプレイを備えたデジタルスチルカメラ１、デジタルビデオカメラ、携帯電話機、携帯型家庭用ゲーム機、据え置き型家庭用ゲーム機、またはテレビジョン受像機に適用できる。【選択図】図２
2008009167.tif 000002
【特許請求の範囲】
【請求項１】
画像を自発光型のディスプレイに表示させる表示装置において、
アイコンに縁取りを付加する付加手段と、
縁取りされた前記アイコンを前記画像に重畳させる重畳手段と、
前記アイコンと前記画像との重畳の比率を変更する変更手段と、
縁取りされた前記アイコンが重畳された前記画像の前記ディスプレイへの表示を制御する表示制御手段と
を備え、
前記アイコンは前記画像に対して半透過で重畳される
ことを特徴とする表示装置。
【請求項２】
前記変更手段は、電源を投入してからの時間の経過に応じて、前記画像に対して前記アイコンがより表示されるように、重畳の比率を変更する
請求項１に記載の表示装置。
【請求項３】
前記変更手段は、前記ディスプレイの画面を切り替えてからの時間の経過に応じて、前記画像に対して前記アイコンがより表示されるように、重畳の比率を変更する
請求項１に記載の表示装置。
【請求項４】
画像を自発光型のディスプレイに表示させる表示方法において、
アイコンに縁取りを付加し、
縁取りされた前記アイコンを前記画像に重畳させ、
前記アイコンと前記画像との重畳の比率を変更し、
縁取りされた前記アイコンが重畳された前記画像の前記ディスプレイへの表示を制御する
ステップを含み、
前記アイコンは前記画像に対して半透過で重畳される
ことを特徴とする表示方法。
【発明の詳細な説明】
【技術分野】
【０００１】
本発明は表示装置および方法に関し、特に、画像を自発光型のディスプレイに表示させる表示装置および方法に関する。
【背景技術】
【０００２】
現在、有機材料のエレクトロルミネッセンスを利用した有機EL（Electro Luminescence）素子が注目されている。有機EL素子は、陽極と陰極との間に有機正孔輸送層、有機発光層、および電子輸送層を積層させた有機層から構成されている。有機EL素子は、低電圧直流駆動による高輝度発光が可能な発光素子である。
【０００３】
このような有機EL素子を用いた有機ELディスプレイにおいて、透明導電性材料を用いて陽極または陰極を構成してなる有機EL素子が基板上に配列するように形成されている。有機ELディスプレイは、液晶ディスプレイに代わる次世代フラットパネルディスプレイとして有望視されている。
【０００４】
このような構成の有機ELディスプレイでは、発光に伴う発熱によって有機EL素子を構成する各有機層の劣化が生じる。有機層の劣化によって、各有機EL素子における発光輝度が低下したり、発光が不安定になるなど、現在、有機ELディスプレイの経時的な安定性は低く、かつ、寿命は短いと言える。
【０００５】
また、Ｒ画素、Ｇ画素、およびＢ画素を構成する各有機EL材料は、長時間駆動し続けると劣化し、その輝度が徐々に減少していく。
【０００６】
従って、ディスプレイの特定の箇所を、同一の色で、例えば白色で表示し続けた場合、その箇所の画素が劣化し、いわゆる焼き付きが生じてしまう。デジタルカメラなどの場合、撮影モードや撮影可能枚数などのそのときのデジタルカメラの動作状態をユーザに報知するために種々のアイコンおよび文字などをディスプレイに表示することが多い。種々のアイコンおよび文字などを表示する箇所では、その長期間の表示により、アイコンなどと撮影している画像との輝度差が原因となり、焼き付きが生じる。
【０００７】
焼き付きの低減については、これまでにも種々の提案がなされており、表示データを交互に色反転させたり、表示データの画面上の表示位置を若干位置替えさせたりすることにより、焼き付きを低減する技術が提案されている。
【０００８】
例えば、特許文献１には、パーソナルコンピュータの画面のスクロール文字部分に相当するスノーノイズを検出して、そのノイズの色を変えてスクロール文字表示を行うようにして焼き付きを防止するスクリーンセーバが開示されている。
【０００９】
これは、完全な焼き付き改善効果は無いが、焼き付きの症状緩和には有効である。
【００１０】
【特許文献１】特開平１０−６３２１３号公報
【発明の開示】
【発明が解決しようとする課題】
【００１１】
しかしながら、アイコン等を表示する際、視認性を上げるために、アイコン等を黒で縁取るのが一般的である。アイコンを黒で縁取ると、アイコンが高輝度で表示されることによる劣化ではなく、アイコンそのものとその縁取りである黒の部分との輝度が急激に変化するので、輝度が急減に変化することによる焼き付きが目立ちやすくなる。従来は、このような焼き付きを十分に防止することはできなかった。
【００１２】
本発明は、このような状況に鑑みてなされたものであり、視認性を維持したまま、より簡単に焼き付きを軽減することができるようにするものである。
【課題を解決するための手段】
【００１３】
本発明の一側面の表示装置は、画像を自発光型のディスプレイに表示させる表示装置であって、アイコンに縁取りを付加する付加手段と、縁取りされた前記アイコンを前記画像に重畳させる重畳手段と、前記アイコンと前記画像との重畳の比率を変更する変更手段と、縁取りされた前記アイコンが重畳された前記画像の前記ディスプレイへの表示を制御する表示制御手段とを備え、前記アイコンは前記画像に対して半透過で重畳される。
【００１４】
前記変更手段には、電源を投入してからの時間の経過に応じて、前記画像に対して前記アイコンがより表示されるように、重畳の比率を変更させることができる。
【００１５】
前記変更手段には、前記ディスプレイの画面を切り替えてからの時間の経過に応じて、前記画像に対して前記アイコンがより表示されるように、重畳の比率を変更させることができる。
【００１６】
本発明の一側面の表示方法は、画像を自発光型のディスプレイに表示させる表示方法であって、アイコンに縁取りを付加し、縁取りされた前記アイコンを前記画像に重畳させ、前記アイコンと前記画像との重畳の比率を変更し、縁取りされた前記アイコンが重畳された前記画像の前記ディスプレイへの表示を制御するステップを含み、前記アイコンは前記画像に対して半透過で重畳される。
【００１７】
本発明の一側面においては、アイコンに縁取りが付加され、縁取りされた前記アイコンが前記画像に重畳させられ、前記アイコンと前記画像との重畳の比率が変更され、縁取りされた前記アイコンが重畳された前記画像の前記ディスプレイへの表示が制御され、前記アイコンは前記画像に対して半透過で重畳される。
【発明の効果】
【００１８】
以上のように、本発明の一側面によれば、焼き付きを軽減することができる。
【００１９】
また、本発明の一側面によれば、視認性を維持したまま、より簡単に焼き付き軽減することができる。
【発明を実施するための最良の形態】
【００２０】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の表示装置は、画像を自発光型のディスプレイに表示させる表示装置において、アイコンに縁取りを付加する付加手段（例えば、図２の縁取り付加部４１）と、縁取りされた前記アイコンを前記画像に重畳させる重畳手段（例えば、図２の重畳制御部４２）と、前記アイコンと前記画像との重畳の比率を変更する変更手段（例えば、図２の重畳比率変更部４３）と、縁取りされた前記アイコンが重畳された前記画像の前記ディスプレイへの表示を制御する表示制御手段（例えば、図２の表示制御部４４）とを備え、前記アイコンは前記画像に対して半透過で重畳される。
【００２２】
本発明の一側面の表示方法は、アイコンに縁取りを付加し（例えば、図３のステップＳ１１）、縁取りされた前記アイコンを前記画像に重畳させ（例えば、図３のステップＳ１２）、前記アイコンと前記画像との重畳の比率を変更し（例えば、図４のステップＳ３２）、縁取りされた前記アイコンが重畳された前記画像の前記ディスプレイへの表示を制御する（例えば、図３のステップＳ１３）ステップを含み、前記アイコンは前記画像に対して半透過で重畳される。
【００２３】
図１は、本発明の一実施の形態のデジタルスチルカメラ１のハードウェアの構成を示すブロック図である。
【００２４】
デジタルスチルカメラ１は、CCD（Charge Coupled Devices）１１、DSP（Digital Signal Processor）１２、EL（Electro Luminescence）コントローラ１３、有機ELディスプレイ１４、VRAM（Video Random Access Memory）１５、RAM（Random Access Memory）コントローラ１６、RAM１７、CPU（Central Processing Unit）１９、ROM（Read Only Memory）２０、インターフェース（I/F（Interface））２１から構成される。CCD１１、DSP１２、ELコントローラ１３、VRAM１５、RAMコントローラ１６、CPU１９、ROM２０、インタフェース２１は、バス１８により相互に接続されている。
【００２５】
CCD１１は、レンズや絞りなどからなる図示せぬ光学系により結像された被写体の光学的な像を、光電変換する。CCD１１は、光電変換により得られた、被写体の映像のデジタル信号である電気信号（以下、映像信号と称する）をバス１８を介してDSP１２に供給する。
【００２６】
なお、CCD１１が、被写体の画像のアナログ信号である電気信号を出力する場合、図示せぬA/D（Analog / Digital）変換器が、CCD１１から出力されるアナログ信号である電気信号を、デジタル信号に変換する。
【００２７】
また、ノイズ成分を除去するCDS回路（Correlated Double Sampling circuit）、または信号のゲインを調整するAGC回路（Automatic Gain Control circuit）などを設けるようにしてもよい。
【００２８】
DSP１２は、映像信号に各種の信号処理を適用する。例えば、DSP１２は、信号処理によって映像信号からAF（Auto Focus）またはAE（Auto Exposure）などの制御信号を生成して、生成した制御信号を図示せぬ光学系に供給する。また、例えば、DSP１２は、映像信号AWB（Auto White Balance）の信号処理を適用する。
【００２９】
DSP１２は、各種の信号処理を適用した映像信号を、バス１８を介してELコントローラ１３に供給する。
【００３０】
また、DSP１２は、デジタルスチルカメラ１の撮影モード、フラッシュの発光の有無、撮影する映像の画質、および撮影できる映像の枚数である撮影可能枚数などの、デジタルスチルカメラ１の動作状態を示すアイコンを表示させるためのアイコン表示信号を生成する。DSP１２は、アイコン表示信号をアイコン表示データとしてVRAM１５に記憶させる。
【００３１】
さらに、DSP１２は、アイコンに縁取りを付加する信号処理をアイコン表示信号に適用する。
【００３２】
また、DSP１２は、CCD１１からの映像信号に、アイコン表示データとしてVRAM１５に記憶させたアイコン表示信号を重畳する。DSP１２は、アイコン表示信号を重畳した映像信号をバス１８を介してELコントローラ１３に供給する。
【００３３】
ELコントローラ１３は、供給された映像信号にしたがって有機ELディスプレイ１４を駆動し、有機ELディスプレイ１４に、映像信号に応じた映像を表示させる。
【００３４】
有機ELディスプレイ１４は、ELコントローラ１３によって駆動され、ELコントローラ１３に供給された映像信号に応じた映像を表示する。有機ELディスプレイ１４には、撮影されている映像が表示されることになる。
【００３５】
有機ELディスプレイ１４の有効画素数は任意であるが、例えば、５００画素×２００画素とされる。
【００３６】
有機ELディスプレイ１４には、撮影している映像と共に、デジタルスチルカメラ１の動作状態を示すアイコンが表示されるので、ユーザは、表示されたアイコンにより、デジタルスチルカメラ１の現在の動作状態を把握することができる。
【００３７】
RAMコントローラ１６は、RAM１７へのデータの記録を制御する。例えば、RAMコントローラ１６は、ユーザによるデジタルスチルカメラ１の図示しないレリーズボタンの押下により、VRAM１５から映像信号を読み出して、映像信号をRAM１７に記録させる。または、映像信号は、デジタルスチルカメラ１内部の図示しないフラッシュROMに記録される。
【００３８】
CPU１９は、ROM２０に記憶されているプログラム、またはインタフェース２１に接続されているハードディスクまたはメモリカードなどの記録媒体であるリムーバブルメディアからインタフェース２１を介してRAM１７にロードされたプログラムを実行する。CPU１９は、実行しているプログラムに従ってデジタルスチルカメラ１の各部を制御したり、各種の処理を実行したりする。
【００３９】
RAM１７にはまた、CPU１９が各種の処理を実行する上において必要なデータなども適宜記憶される。
【００４０】
インタフェース２１は、デジタルスチルカメラ１と外部の機器とを接続する。例えば、インタフェース２１には、適宜ハードディスクまたはメモリカード等などのリムーバブルメディアが接続される。
【００４１】
図２は、プログラムを実行するCPUによって実現される機能の構成を示すブロック図である。プログラムを実行するCPUによって、縁取り付加部４１、重畳制御部４２、重畳比率変更部４３、および表示制御部４４が実現される。
【００４２】
縁取り付加部４１は、アイコンに縁取りを付加する。すなわち、縁取り付加部４１は、DSP１２を制御して、DSP１２に、アイコンに縁取りを付加する信号処理をアイコン表示信号に適用させる。
【００４３】
例えば、縁取り付加部４１は、アイコンの縁に、白色などの所定の色の縁取りを付加する。
【００４４】
例えば、縁取り付加部４１は、アイコンの縁に、アイコンの色に応じた色の縁取りを付加する。また、例えば、縁取り付加部４１は、アイコンの縁に、アイコンの色と有機ELディスプレイ１４に表示されている映像の色とに応じた色の縁取りを付加する。
【００４５】
より具体的には、例えば、アイコンが白色であり、有機ELディスプレイ１４に表示されている映像が白色である場合、アイコンの縁取りは黒色とされる。
【００４６】
アイコンに縁取りが付加されることにより、ユーザは、映像と共に表示されているアイコンを容易に識別できるようになる。
【００４７】
縁取り付加部４１は、縁取りを付加したアイコンを重畳制御部４２に供給する。
【００４８】
重畳制御部４２は、縁取りされたアイコンを有機ELディスプレイ１４に表示させる映像に重畳させる。すなわち、重畳制御部４２は、DSP１２を制御して、DSP１２に、アイコン表示信号と映像信号とを重畳させる。
【００４９】
アイコン表示信号と映像信号とが重畳されるので、アイコン表示信号が重畳された映像信号により有機ELディスプレイ１４に映像を表示させると、その映像上に半透明のアイコンが表示されることになる。
【００５０】
重畳比率変更部４３は、有機ELディスプレイ１４に表示する、アイコンと映像との重畳の比率を変更する。例えば、重畳比率変更部４３は、電源を投入してからの時間の経過に応じて、映像に対してアイコンがより表示されるように、重畳の比率を変更する。より具体的には、重畳比率変更部４３は、電源を投入した当初において、映像に対するアイコンの重畳の比率を小さくして、より透明なアイコンが有機ELディスプレイ１４に表示されるように、アイコンと映像との重畳の比率を変更する。重畳比率変更部４３は、電源を投入してからの時間が経過するに従って、映像に対するアイコンの重畳の比率を大きくして、より明瞭なアイコンが有機ELディスプレイ１４に表示されるように、アイコンと映像との重畳の比率を変更する。
【００５１】
電源を投入したとき、輝度の高いアイコンを表示させると、有機ELディスプレイ１４に大きな電流が突入電流として流れてしまい、これにより有機ELディスプレイ１４に焼き付きが生じてしまうが、電源を投入したときにより透明なアイコンを表示させることにより、電流値を抑制して、有機ELディスプレイ１４の焼き付きを防止することができる。
【００５２】
また、重畳比率変更部４３は、有機ELディスプレイ１４の画面を切り替えてからの時間の経過に応じて、映像に対してアイコンがより表示されるように、重畳の比率を変更する。
【００５３】
より具体的には、重畳比率変更部４３は、有機ELディスプレイ１４の画面を切り替えた当初において、映像に対するアイコンの重畳の比率を小さくして、より透明なアイコンが有機ELディスプレイ１４に表示されるように、アイコンと映像との重畳の比率を変更する。重畳比率変更部４３は、有機ELディスプレイ１４の画面を切り替えてからの時間が経過するに従って、映像に対するアイコンの重畳の比率を大きくして、より明瞭なアイコンが有機ELディスプレイ１４に表示されるように、アイコンと映像との重畳の比率を変更する。
【００５４】
例えば、有機ELディスプレイ１４の画面を切り替えた直後において、ユーザは、表示された映像を確認するので、即座にアイコンを操作する必要はなく、より透明なアイコンをより長く表示させることにより、有機ELディスプレイ１４の焼き付きを防止することができる。
【００５５】
表示制御部４４は、ELコントローラ１３を制御して、アイコンが重畳された映像の有機ELディスプレイ１４への表示を制御する。
【００５６】
なお、アイコンが重畳された映像を表示するディスプレイは、有機ELディスプレイ１４に限らず、自発光型のディスプレイであれば良く、FED（Field Emission Display）やFEDの一種であるSED（Surface-conduction Electron-emitter Display）、CRT（Cathode Ray Tube）、PDP（Plasma Display Panel）、またはVFD（Vacuum Fluorescent Display）などでも良い。
【００５７】
図３は、デジタルスチルカメラ１による映像の表示の処理を説明するフローチャートである。
【００５８】
ステップＳ１１において、縁取り付加部４１は、アイコンを表示させるためのアイコン表示信号に、縁取りを表示させるための信号を付加する。すなわち、例えば、縁取り付加部４１は、DSP１２に、アイコンに縁取りを付加する信号処理をアイコン表示信号に適用させることにより、アイコン表示信号に、縁取りを表示させるための信号を付加させる。
【００５９】
ステップＳ１２において、重畳制御部４２は、所定の比率で映像信号にアイコン表示信号を重畳する。すなわち、例えば、重畳制御部４２は、DSP１２に、映像信号とアイコン表示信号とを所定の比率で重畳させる。
【００６０】
より具体的には、例えば、重畳制御部４２は、DSP１２に、映像信号の振幅を、元の振幅の５０パーセントとさせて、アイコン表示信号の振幅を、元の振幅の５０パーセントとさせる。そして、重畳制御部４２は、DSP１２に、それぞれ５０パーセントの振幅とされた映像信号とアイコン表示信号とを重畳させる。
【００６１】
また、例えば、重畳制御部４２は、DSP１２に、映像信号の振幅を、元の振幅の０パーセントとさせて、アイコン表示信号の振幅を、元の振幅の１００パーセントとさせる。そして、重畳制御部４２は、DSP１２に、０パーセントの振幅とされた映像信号と１００パーセントの振幅とされたアイコン表示信号とを重畳させる。すなわち、この場合、映像信号がアイコン表示信号に置き換えられることになる。
【００６２】
なお、映像およびアイコンがそれぞれデータで表示される場合、重畳制御部４２は、所定の比率で映像のデータとアイコンのデータとを加算するようにしてもよい。
【００６３】
ステップＳ１３において、表示制御部４４は、アイコン表示信号が重畳された映像信号により有機ELディスプレイ１４に映像を表示させて、処理は終了する。
【００６４】
例えば、それぞれ５０パーセントの振幅とされた映像信号とアイコン表示信号とが重畳された場合、表示制御部４４は、有機ELディスプレイ１４に、５０パーセントの透明度のアイコンを映像上に表示させることになる。
【００６５】
このように、映像信号に対するアイコン表示信号の重畳の比率を１００パーセント未満とすることで、半透明のアイコンが表示されることになる。また、この場合、アイコン表示信号は、アイコンに付加されている縁取りを表示させるための信号と共に、所定の比率で、映像信号と重畳されるので、アイコンに付加された縁取りも映像に対して半透明となる。
【００６６】
アイコンと共に、その縁取りが半透明に表示されるので、その縁取りによってアイコンの視認性が維持されるとともに、アイコンそのものの輝度と縁取りの輝度との差が小さくなるので、焼き付きを軽減することができる。
【００６７】
また、例えば、０パーセントの振幅とされた映像信号と１００パーセントの振幅とされたアイコン表示信号とが重畳された場合、有機ELディスプレイ１４は、アイコンが表示される部分において、アイコンに置換された映像を表示させる。
【００６８】
図４は、デジタルスチルカメラ１による重畳の比率の変更の処理を説明するフローチャートである。
【００６９】
ステップＳ３１において、重畳比率変更部４３は、電源を投入してから、または重畳の比率をリセットしてからの経過時間を計測する。例えば、ステップＳ３１において、重畳比率変更部４３は、デジタルスチルカメラ１に内蔵されているリアルタイムクロックで示される時刻を基に、電源を投入してから、または重畳の比率をリセットしてからの経過時間を計測する。
【００７０】
ステップＳ３２において、重畳比率変更部４３は、経過時間に対する所定の関数で、アイコン表示信号の重畳の比率を増加させる。例えば、重畳比率変更部４３は、経過時間が増加するにつれ、アイコン表示信号の重畳の比率を５０パーセントから１００パーセントに増加させるように、アイコン表示信号の重畳の比率を増加させる。
【００７１】
なお、重畳比率変更部４３は、経過時間に対する所定の関数で、アイコン表示信号の重畳の比率を減少させるようにしてもよい。
【００７２】
ステップＳ３３において、重畳比率変更部４３は、ボタンが操作されたか否かを判定する。例えば、重畳比率変更部４３は、ユーザがレリーズボタンやメニューボタン等の各種のボタン、ダイヤル、つまみ、並びにタッチパネル等を操作したか否かを判定する。
【００７３】
ステップＳ３３において、重畳比率変更部４３は、ボタンが操作されていないと判定された場合、ステップＳ３４に進む。
【００７４】
ステップＳ３４において、重畳比率変更部４３は、アイコン表示信号の重畳の比率が予め設定されている最大重畳値に等しいか否かを判定する。例えば、予め設定されている最大重畳値が１００パーセントである場合、重畳比率変更部４３は、アイコン表示信号の重畳の比率が１００パーセントに等しいか否かを判定する。
【００７５】
ステップＳ３４において、アイコン表示信号の重畳の比率が予め設定されている最大重畳値に等しくないと判定された場合、さらにアイコン表示信号の重畳の比率を増加させる余地があるので、ステップＳ３２に戻り、アイコン表示信号の重畳の比率を増加させる処理を繰り返す。
【００７６】
ステップＳ３４において、アイコン表示信号の重畳の比率が予め設定されている最大重畳値に等しいと判定された場合、ステップＳ３５に進み、重畳比率変更部４３は、最大重畳値に等しい、アイコン表示信号の重畳の比率で表示を継続する。
【００７７】
ステップＳ３６において、重畳比率変更部４３は、ボタンが操作されたか否かを判定する。例えば、重畳比率変更部４３は、ステップＳ３３と同様な操作がユーザにより行われたか否かを判定する。
【００７８】
ステップＳ３６において、ボタンが操作されていないと判定された場合、表示の状態を変更する必要はないので、ステップＳ３５に戻り、最大重畳値に等しい、アイコン表示信号の重畳の比率での表示が継続される。
【００７９】
ステップＳ３６において、ボタンが操作されたと判定された場合、または、ステップＳ３３において、ボタンが操作されたと判定された場合、有機ELディスプレイ１４の画面が切り替えられるので、ステップＳ３７に進み、重畳比率変更部４３は、経過時間と、アイコン表示信号の重畳の比率とをリセットして、例えば、経過時間を０とし、アイコン表示信号の重畳の比率を５０パーセントとして、ステップＳ３１に戻り、上述した処理を繰り返す。
【００８０】
このように、電源を投入してから、または画面が切り替えられてからの時間の経過に応じて、縁取りされた部分も含めたアイコンと映像との重畳の比率を変えることにより、アイコンの視認性を低下させることなく、有機ELディスプレイ１４の焼き付きをより効果的に抑制することができる。
【００８１】
図５は、デジタルスチルカメラ１の電源が入っている状態における有機ELディスプレイ１４の画面の表示の例を示す図である。
【００８２】
有機ELディスプレイ１４の画面全体には、被写体の映像８１が表示されている。有機ELディスプレイ１４の画面の左上には、撮影可能時間を表すアイコン８２−１が表示されている。有機ELディスプレイ１４の画面の中央の上側には、撮影する映像の画質とそのサイズを示すアイコン８２−２が表示されている。
【００８３】
有機ELディスプレイ１４の画面の右上には、撮影できる映像の枚数である撮影可能枚数を示すアイコン８２−３と、撮影された映像の映像信号がデジタルスチルカメラ１内部の図示しないフラッシュROMに記録されるか、またはインタフェース２１に接続されているリムーバブルメディアに記録されるかを示すアイコン８２−４が表示されている。
【００８４】
有機ELディスプレイ１４の画面の左下には、オートフォーカスモードを示すアイコン８２−５が表示されている。画面中央には、オートフォーカス用基準ウィンドウ８３が表示されている。
【００８５】
このように、有機ELディスプレイ１４は、縁取りを付加され、半透明とされたアイコン８２−１乃至アイコン８２−５を表示する。
【００８６】
なお、デジタルスチルカメラ１は、静止画像に限らず、動画像を撮影するようにしてもよい。
【００８７】
図６は、静止画像または動画像を撮影する場合の、デジタルスチルカメラ１の電源が入っている状態における有機ELディスプレイ１４の画面の表示の他の例を示す図である。図５に示す場合と同様の部分には同一の符号を付してあり、その説明は省略する。
【００８８】
有機ELディスプレイ１４の画面の左上には、デジタルスチルカメラ１の状態が記録スタンバイの状態であることを示すアイコン８２−６が表示されている。有機ELディスプレイ１４の画面の中央の上側には、デジタルスチルカメラ１の状態が動画像を撮影する動画モードであることを示すアイコン８２−７が表示されている。有機ELディスプレイ１４の画面の左下には、手振れ除去などの処理を示すアイコン８２−８が表示されている。
【００８９】
有機ELディスプレイ１４の画面の右上には、撮影できる動画像の時間の長さである撮影可能時間を示すアイコン８２−９が表示されている。
【００９０】
このように、静止画像または動画像を撮影する場合においても、有機ELディスプレイ１４は、縁取りを付加され、半透明とされたアイコン８２−１乃至アイコン８２−５を表示する。
【００９１】
以下、アイコン８２−１乃至８２−８を個々に区別する必要がない場合、単に、アイコン８２と称する。
【００９２】
このように、所定の色の縁取りが付加された、所定の色のアイコン８２が、縁取りと共に半透明とされて表示される。
【００９３】
例えば、白い縁取りが付加された場合に限らず、黒い縁取りが付加された場合であっても、縁取りを含めてアイコン８２が半透明で表示されるので、アイコン８２そのものの輝度と縁取りの輝度との差がより少なくなり、有機ELディスプレイ１４に焼き付きが生じにくくなる。
【００９４】
映像信号とアイコン表示信号との重畳の比率を適切な値とすることで、アイコン８２の視認性を低下させることなく、有機ELディスプレイ１４の焼き付きを防止した上で映像を表示することができる。
【００９５】
このように、有機ELディスプレイ１４を備えたデジタルスチルカメラ１について説明したが、これに限定されるものではなく、有機ELディスプレイ１４などのような自発光型のディスプレイを備える機器であればよく、デジタルビデオカメラ、携帯電話機、携帯型家庭用ゲーム機、据え置き型家庭用ゲーム機、またはテレビジョン受像機などでもよい。
【００９６】
このように、発光時間の割合で輝度劣化を起こす自発光型のディスプレイにアイコンを表示させる場合、そのアイコンの視認性を保持した上でアイコンの表示による焼き付きを低減することができる。
【００９７】
このように、複雑な信号処理や信号制御を必要とせず、加算するかまたは重畳するなどの簡単な処理で焼き付きを防止することができる。
【００９８】
このように、アイコンを画像に重畳させるようにした場合、焼き付きを軽減することができる。また、アイコンに縁取りを付加し、縁取りされたアイコンを画像に重畳させ、アイコンと画像との重畳の比率を変更し、縁取りされたアイコンが重畳された画像のディスプレイへの表示を制御し、アイコンが画像に対して半透過で重畳されるようにした場合、視認性を維持したまま、より簡単に焼き付き軽減することができる。
【００９９】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１００】
コンピュータにインストールされ、コンピュータによって実行可能な状態とされるプログラムを格納するプログラム記録媒体は、図１に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるインタフェース２１に接続されるパッケージメディアであるリムーバブルメディア、または、プログラムが一時的もしくは永続的に格納されるROM２０や、図示せぬフラッシュROM、またはハードディスクなどにより構成される。プログラム記録媒体へのプログラムの格納は、必要に応じてルータ、モデムなどのインタフェースであるインタフェース２１を介して、ローカルエリアネットワーク、インターネット、デジタル衛星放送といった、有線または無線の通信媒体を利用して行われる。
【０１０１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１０２】
なお、本発明の実施の形態は、上述した実施の形態に限定されるものではなく、本発明の要旨を逸脱しない範囲において種々の変更が可能である。
【図面の簡単な説明】
【０１０３】
【図１】本発明の一実施の形態のデジタルスチルカメラのハードウェアの構成を示すブロック図である。
【図２】プログラムを実行するCPUによって実現される機能の構成を示すブロック図である。
【図３】映像の表示の処理を説明するフローチャートである。
【図４】重畳の比率の変更の処理を説明するフローチャートである。
【図５】有機ELディスプレイ１４の画面の表示の例を示す図である。
【図６】有機ELディスプレイ１４の画面の表示の例を示す図である。
【符号の説明】
【０１０４】
１１  CCD，  １２  DSP，  １３  ELコントローラ，  １４  有機ELディスプレイ，  １５  VRAM，  １６  RAMコントローラ，  １７  RAM，  １９  CPU，  ２０  ROM，  ２１  インタフェース，  ４１  縁取り付加部，  ４２  重畳制御部，  ４３  重畳比率変更部，  ４４  表示制御部
【図１】
2008009167.tif 000003
【図２】
2008009167.tif 000004
【図３】
2008009167.tif 000005
【図４】
2008009167.tif 000006
【図５】
2008009167.tif 000007
【図６】
2008009167.tif 000008